(57)【要約】【課題】  従来のパッドに比べおむつ上でのズレやまくれが発生し難くおむつへの着脱が容易な尿取りパッドを提供することにある。【解決手段】  尿取りパッドのバックシート側にベルトを通す孔ないしはガイドを設け、この孔ないしはガイドに通すベルトの両端には、ベルトをおむつの表面材または防漏シート外面に固定するための止着部を備えたことを特徴とするズレ防止機能を備えた尿取りパッド。【選択図】  図１
2005095510.tif 000002
【特許請求の範囲】
【請求項１】
尿取りパッドのバックシート側にベルトを通す孔ないしはガイドを設け、この孔ないしはガイドに通すベルトの両端には、ベルトをおむつの表面材または防漏シート外面に固定するための止着部を備えたことを特徴とするズレ防止機能を備えた尿取りパッド。
【請求項２】
尿取りパッドに予めベルトを通した状態のベルト付き尿取りパッドである請求項１記載の尿取りパッド。
【請求項３】
任意枚数の尿取りパッドと任意本数のベルトとをセットとして組合わせた請求項１記載の尿取りパッドとベルトとの組合わせ体。
【請求項４】
止着部がメカニカルファスナーまたは粘着材からなる請求項１から３までのいずれか１項記載の尿取りパッド。
【請求項５】
孔ないしはガイドに通すベルトの通す方向が尿取りパッドの長手方向または幅方向或いは両方向である請求項１から４までのいずれか１項記載の尿取りパッド。
【請求項６】
ベルトを通す孔ないしガイドはベルトを通す方向に１個ないしは複数個配設されている請求項１から５までのいずれか１項記載の尿取りパッド。
【請求項７】
ベルトを通すガイドが尿取りパッドの最外装のシートに跨架状に取付けられた帯状片または該シートに対に入れたスリットからなる請求項１から６までのいずれか１項記載の尿取りパッド。
【請求項８】
尿取りパッドのバックシート側にベルトを固定するための止着部をベルトの長手方向中間部に設け、かつこの止着部により尿取りパッドに固定するベルトの尿取りパッド外縁からの延出両端にはベルトをおむつの表面材または防漏シート外面に固定するための止着部を備えたことを特徴とする尿取りパッド。
【請求項９】
ベルトが伸縮性を備えている請求項１から８までのいずれか１項記載の尿取りパッド。
【発明の詳細な説明】
【技術分野】
【０００１】
本発明はズレ防止機能を備えた尿取りパッドに関する。
【背景技術】
【０００２】
テープ止めタイプやはけるパンツ等の使い捨て紙おむつとパッドを併用して使う場合に、パッドのズレ、めくれを防ぐ為、固定テープ等によりパッドを固定する場合があるが十分とは言えず、接合が緩かったりして尿モレや着用感の悪化を引き起こすことがあり、本来の機能が発揮できないことがあった。また使用後のパッドの処理においても不具合点があった。
【０００３】
【特許文献１】実開平０７−３２９号公報
【特許文献２】特開２００３−９３４３９公報
【発明の開示】
【発明が解決しようとする課題】
【０００４】
従来のパッドに比べおむつ上でのズレやまくれが発生し難くおむつへの着脱が容易な尿取りパッドを提供することにある。
【課題を解決するための手段】
【０００５】
本発明は尿取りパッドのバックシート側にベルトを通す穴（ガイド）を設け、ベルトの両端には、メカニカルファスナーや粘着材などからなる止着部を設けて、おむつの表面材や防漏シート外面に固定する構成を基本とする。
上記において、ベルト穴（ガイド）は、複数個あっても良く、通す方向は、長手方向、幅方向、または両方が可能であり、パッドの最外装のシートにスリットを入れてガイドとしても良い。
ベルトは不織布製、プラスチックテープ等で伸縮性を備えていても良い。
パッドにあらかじめベルトを通した状態で包装されるか、パッド複数枚に対して１セット収められていてもよい。
【０００６】
本発明は尿取りパッドのバックシート側にベルトを通す孔ないしはガイドを設け、この孔ないしはガイドに通すベルトの両端には、ベルトをおむつの表面材または防漏シート外面に固定するための止着部を備えたことを特徴とするズレ防止機能を備えた尿取りパッドに係わる。
【０００７】
上記において、尿取りパッドに予めベルトを通した状態のベルト付き尿取りパッドであるもの、任意枚数の尿取りパッドと任意本数のベルトとをセットとして組合わせたもの、止着部がメカニカルファスナーまたは粘着材からなるもの、孔ないしはガイドに通すベルトの通す方向が尿取りパッドの長手方向または幅方向或いは両方向であるもの、ベルトを通す孔ないしガイドはベルトを通す方向に１個ないしは複数個配設されているもの、ベルトを通すガイドが尿取りパッドの最外装のシートに跨架状に取付けられた帯状片または該シートに対に入れたスリットからなるもの、ベルトが伸縮性を備えているものが包含される。
【０００８】
また本発明は尿取りパッドのバックシート側にベルトを固定するための止着部をベルトの長手方向中間部に設け、かつこの止着部により尿取りパッドに固定するベルトの尿取りパッド外縁からの延出両端にはベルトをおむつの表面材または防漏シート外面に固定するための止着部を備えたことを特徴とする尿取りパッドに係わる。
【発明の効果】
【０００９】
従来のパッドに比べて、ズレやまくれが発生しにくい。
使用後のパッドは、ベルトを引くことによりおむつから容易に外れ、衛生的に処理することができる。また、ベルトが汚れた場合には、パッドごと丸めた状態で廃棄することも可能である。ベルトをおむつの外側に延出させれば、おむつを外したりせずに位置を調整することも可能である。
【発明を実施するための最良の形態】
【００１０】
以下に図面を用いての実施例を示すが、これは例示の目的で掲げたもので、これによって本発明を制約するものではない。
【実施例１】
【００１１】
図１はパッドの外観を示し、（１）は尿取りパッド、（２）は尿取りパッド（１）のバックシート側に設けたベルト通し用の孔ないしはガイド、（３）はこの孔ないしはガイド（２）に通したベルトで、パッド（１）の外縁からはみ出た延出両端の外面にはベルト（３）をおむつの表面材または防漏シート外面に固定するための止着部（４）が取付けられている。
止着部（４）は面ファスナーないしは粘着材よりなり、固定相手側のおむつ表面材または防漏シートが多くは不織布であるため強固かつ着脱自在に固定できる。
【００１２】
図２はパッドの使用例を示しパッドはおむつ（５）の内面上にセットされベルト（３）の両端止着部（４）によっておむつ（５）に固定される。（６）はおむつのレッグギャザー、（７）は立体ギャザーである。
【００１３】
図３は図２のＸ−Ｘ断面を示す使用時の断面図である。
紙おむつ（５）は吸収体（８）の表面側には表面材（トップシート）（９）、裏面側には防漏シート（バックシート）（１０）を有する構成で、立体ギャザー（７）は表面材（９）の左右両側から内向きに立ち上げられている。
他方紙おむつ（５）の表面材（９）上に載置された尿取りパッド（１）は吸収体（１１）の表面側にはトップシート（１２）を、裏面側にはバックシート（１３）を有する構成でバックシート（１３）に前出のように孔ないしガイド（２）が後述するように適宜に設けられ、この孔ないしガイド（２）にベルト（３）が通される。
【００１４】
図４は図２のＹ−Ｙ断面図でベルト通し孔（２）に通したベルト（３）の尿取りパッド（１）の外縁よりはみ出した延出端部の裏面に面ファスナーないしは粘着材よりなる止着部（４）を取付け、これを紙おむつ（５）の表面材（９）または防漏シート（１０）の面に押圧することによってベルト（３）の両端を紙おむつ（５）に固定し、これによって尿取りパッド（１）は紙おむつ（５）上に着脱自在に位置決め固定される。
【００１５】
図５〜図１０はベルトの尿取りパッドへの装着例を示す。
図５はパッド（１）の背側もしくは腹側に巾方向にベルト（３）を通した例であり、ベルト（３）は巾方向中央の１個の孔ないしはガイド（２）に通されている。
【００１６】
図６はパッドの背側および腹側に夫々巾方向にベルト（３）を通した例で、複数本のベルト（３）を用いてパッド（１）の背側および腹側双方の左右及び前後両方向のズレを防止するようにしている。
【００１７】
図７は図５と同じくパッドの背側または腹側に巾方向にベルト（３）を通した例であるが、ベルト（３）を通す孔ないしはガイド（２）を巾方向に複数個配し、１本のベルト（３）を用いてパッド（１）の左右及び前後両方向のズレを防止するようにしている。
【００１８】
図８はパッド（１）の背側から腹側へ貫いて長手方向にベルト（３）を配した例でパッド（１）の背側および腹側の巾方向中央部に夫々孔ないしはガイド（２）を取付けている。この場合にはベルト（３）がパッドの中央を長手方向に串通しされているので、パッド（３）のおしめ上での左右及び前後両方向のズレは効果的に防止される。
【００１９】
図９は図７と図８の組合わせタイプで、図７と図８の場合の各別の効果が相乗的に期待できる。
【００２０】
図１０はベルト孔ないしはガイドのない例で、ベルト（３）の長手方向中間部（裏面）に面ファスナーからなる止着部（粘着材からなる止着部でもよい）（１４）を上下に設け、この上下の止着部（１４）でパッド（１）の中央部を長手方向に縦走するようにベルト（３）を取付け、ベルト（３）のパッド（１）からの上下はみ出し延出部（表面）に止着部（４）を同様に設けている。
【図面の簡単な説明】
【００２１】
【図１】尿取りパッドの外観図である。
【図２】尿取りパッドの使用例図である。
【図３】図２のＸ−Ｘ断面図である。
【図４】図２のＹ−Ｙ断面図である。
【図５】ベルトの尿取りパッドへの装着図である。
【図６】ベルトの尿取りパッドへの装着図である。
【図７】ベルトの尿取りパッドへの装着図である。
【図８】ベルトの尿取りパッドへの装着図である。
【図９】ベルトの尿取りパッドへの装着図である。
【図１０】ベルトの尿取りパッドへの装着図である。
【符号の説明】
【００２２】
１……尿取りパッド
２……孔ないしはガイド
３……ベルト
４……止着部
５……おむつ
６……レッグギャザー
７……立体ギャザー
８……おむつの吸収体
９……おむつの表面材
１０……おむつの防漏シート
１１……パッドの吸収体
１２……パッドのトップシート
１３……パッドのバックシート
１４……止着部
【図１】
2005095510.tif 000003
【図２】
2005095510.tif 000004
【図３】
2005095510.tif 000005
【図４】
2005095510.tif 000006
【図５】
2005095510.tif 000007
【図６】
2005095510.tif 000008
【図７】
2005095510.tif 000009
【図８】
2005095510.tif 000010
【図９】
2005095510.tif 000011
【図１０】
2005095510.tif 000012